(57)【要約】【課題】手間のかからない施工により、地盤との間に生じる摩擦力を低減することができる構造体及び構造体の構築方法を提供する。【解決手段】構造体２は、地盤Ｇの表面に設置され、該地盤Ｇとの間の摩擦力を調整可能なシート状のシート部材１０と、コンクリートから構成され、前記シート部材１０の上側に該シート部材１０と一体として設けられたコンクリート部２０と、を備えることを特徴とする。【選択図】図２
2016084676.tif 000002
【特許請求の範囲】
【請求項１】
地盤の表面に対向配置され、該地盤との間の摩擦力を調整可能なシート部材と、
前記シート部材の上側に該シート部材と一体として設けられたコンクリート部と、を備えることを特徴とする構造体。
【請求項２】
前記シート部材は、前記地盤の表面に対向配置される摩擦調整層を有し、
該摩擦調整層の前記地盤に対する摩擦係数は、０．５〜０．８であることを特徴とする請求項１に記載の構造体。
【請求項３】
前記摩擦調整層は、熱可塑性樹脂又は熱硬化性樹脂で構成されていることを特徴とする請求項２に記載の構造体。
【請求項４】
前記シート部材は、前記摩擦調整層の前記地盤の表面に対向配置される側の反対側に、前記摩擦調整層を支持する芯材を有し、
前記芯材には、高吸水性樹脂が含まれていることを特徴とする請求項２または３に記載の構造体。
【請求項５】
前記シート部材は、前記コンクリート部の下面の全面にわたって設けられていることを特徴とする請求項１から４のいずれか一項に記載の構造体。
【請求項６】
請求項１から５のいずれか一項に記載の構造体は、プレキャスト部材として構成されていることを特徴とする構造体。
【請求項７】
地盤との間の摩擦力を調整可能なシート部材と、前記シート部材の一方側に該シート部材と一体として設けられたコンクリート部と、を備えたプレキャスト部材からなる構造体を、前記シート部材の他方側が前記地盤の表面と当接するように、前記地盤上に設置することを特徴とする構造体の構築方法。
【発明の詳細な説明】
【技術分野】
【０００１】
本発明は、構造体及び構造体の構築方法に関するものである。
【背景技術】
【０００２】
従来から、地震時に、建築物が地盤上を所定範囲内で摺動することにより、地震による建築物の被害を抑制する免震構造が採用されている。このような免震構造として、地盤上に設けられたべた基礎等の基礎構造体と、基礎構造体の上側に敷き詰められた砂からなる摩擦調整部と、摩擦調整部の上側に設けられた可動構造体とを備えた免震構造が提案されている（下記特許文献１参照）。この免震構造では、地震時に、基礎構造体と可動構造体との間に介在する砂により、可動構造体が摩擦調整部（砂）上を摺動して水平方向に移動する。
【先行技術文献】
【特許文献】
【０００３】
【特許文献１】特開２０１０‐２６１２４９号公報
【発明の概要】
【発明が解決しようとする課題】
【０００４】
しかしながら、上記に示す特許文献１に記載の免震構造では、摩擦調整部（砂）が摩擦力を調整する機能を発揮させるために、地盤の上に基礎構造体を設け、当該基礎構造体の上側に砂を敷き詰めなければならない。よって、地盤上に、摩擦調整部とは別に、基礎構造体を設置する施工に手間や時間がかかることがある。
【０００５】
そこで、本発明は、上記事情に鑑みてなされたものであり、手間のかからない施工により、地盤との間に生じる摩擦力を低減することができる構造体及び構造体の構築方法を提供する。
【課題を解決するための手段】
【０００６】
上記目的を達成するために、本発明は以下の手段を採用している。
すなわち、本発明に係る構造体は、地盤の表面に対向配置され、該地盤との間の摩擦力を調整可能なシート部材と、前記シート部材の上側に該シート部材と一体として設けられたコンクリート部と、を備えることを特徴とする。
【０００７】
このように構成された構造体では、地盤との間の摩擦力を調整可能なシート部材はコンクリート部と一体とされている。よって、地盤の表面にシート部材が当接するように構造体を設置することにより、手間のかからない施工でありながら、地盤との間に生じる摩擦力を低減することができる。
【０００８】
また、本発明に係る構造体は、前記シート部材は、前記地盤の表面に対向配置される摩擦調整層を有し、該摩擦調整層の前記地盤に対する摩擦係数は、０．５〜０．８であることが好ましい。
【０００９】
このように構成された構造体では、地盤の表面に対向配置されるシート部材の摩擦係数は、０．５〜０．８であるため、地盤と構造体との間に生じる摩擦力を適宜調整して、低減することができる。
【００１０】
また、本発明に係る構造体は、前記摩擦調整層は、熱可塑性樹脂又は熱硬化性樹脂で構成されていてもよい。
【００１１】
このように構成された構造体では、熱可塑性樹脂又は熱硬化性樹脂で構成された摩擦調整層により、地盤と構造体との間に生じる摩擦力を低減することができる。
【００１２】
また、前記シート部材は、前記摩擦調整層の前記地盤の表面に対向配置される側の反対側に、前記摩擦調整層を支持する芯材を有し、前記芯材には、高吸水性樹脂が含まれていてもよい。
【００１３】
このように構成された構造体では、芯材には高吸水性樹脂が含まれているため、地盤から生じる地下水は芯材で吸水され、コンクリート部側へ流入しようとする地下水が遮水される。
【００１４】
また、本発明に係る構造体は、前記シート部材は、前記コンクリート部の下面の全面に沿って設けられていることが好ましい。
【００１５】
このように構成された構造体では、シート部材は、コンクリート部と地盤との間の全領域にわたって配置されているため、地盤から生じる地下水のコンクリート部側への流入が妨げられる。
【００１６】
また、本発明に係る構造体は、上記のいずれか一に記載の構造体は、プレキャスト部材として構成されていることを特徴とする。
【００１７】
このように構成された構造体では、プレキャスト部材として構成されているため、建築現場での施工工数及び施工時間を削減することができる。
【００１８】
また、本発明に係る構造体の構築方法は、地盤との間の摩擦力を調整可能なシート部材と、前記シート部材の一方側に該シート部材と一体として設けられたコンクリート部と、を備えたプレキャスト部材からなる構造体を、前記シート部材の他方側が前記地盤の表面に当接するように、前記地盤上に設置することを特徴とする。
【００１９】
このように構成された構造体の構築方法では、地盤との間の摩擦力を調整可能なシート部材はコンクリート部と一体のプレキャスト部材とされている。よって、地盤の表面にシート部材が当接するように構造体を設置することにより、手間のかからない施工でありながら、地盤との間に生じる摩擦力を低減することができる。
【発明の効果】
【００２０】
本発明に係る構造体及び構造体の構築方法によれば、手間のかからない施工により、地盤との間に生じる摩擦力を低減することができる。
【図面の簡単な説明】
【００２１】
【図１】本発明の一実施形態に係る構造体を備える建築物の立断面図である。
【図２】図１のＡ部の拡大図である。
【図３】本発明の一実施形態の（ａ）変形例１に係る構造体における図１のＡ部に相当する部分の拡大図であり、（ｂ）変形例２に係る構造体における図１のＡ部に相当する部分の拡大図である。
【発明を実施するための形態】
【００２２】
本発明の一実施形態に係る構造体を備える建築物について説明する。
図１は、本発明の一実施形態に係る構造体を備える建築物の立断面図である。
図１に示すように、建築物１は、地盤Ｇ上に設けられた基礎スラブ（構造体）２と、基礎スラブ２に支持された上部構造体３と、を備えている。
【００２３】
地盤Ｇは、軟弱シルト層Ｇ１と、軟弱シルト層Ｇ１の上側に積層されセメント等により改良された改良地盤層Ｇ２と、を備えている。この改良地盤層Ｇ２の上側に、砂礫層が設けられていてもよい。
【００２４】
図２は、図１のＡ部の拡大図である。
図２に示すように、基礎スラブ２は、地盤Ｇの表面ＧＴに設置されるシート部材１０と、シート部材１０の上面１０Ａ側（一方側）に設けられたコンクリート部２０と、を有している。これらシート部材１０とコンクリート部２０とは、プレキャスト部材で、一体として構成されている。
【００２５】
シート部材１０は、シート状に形成され、下面１０Ｚ側（他方側）が地盤Ｇの表面ＧＴに沿うように配置されている。シート部材１０は、地盤Ｇの表面ＧＴの表面ＧＴ上に対向配置されるシート表面層（摩擦調整層）１１と、シート表面層１１の上側に設けられる芯材１２と、を有している。
【００２６】
シート表面層１１は、地盤Ｇとの間の摩擦力を調整可能とされ、地盤Ｇに対する摩擦係数が０．５〜０．８とされている。シート表面層１１は、例えば、ＰＥ（ポリエチレン）、ＰＰ（ポリプロピレン）、ＰＥＴ（ポリエチレンテレフタレート）、塩化ビニル等の熱可塑性樹脂や、フェノール樹脂、エポキシ樹脂等の熱硬化性樹脂等が採用される。
【００２７】
芯材１２は、シート表面層１１を支持している。この芯材１２は、ロール状に成形、加工できる材料が適している。例えば、芯材１２として、不織布や織布等が採用される。不織布は、ビニロン、ナイロン、ポリエステル、アラミド等の有機系繊維や、ガラス繊維、鋼繊維、炭素繊維等の無機系繊維等が採用される。また、芯材１２として、ポリエステル、炭素繊維等の低吸水率繊維を採用することにより、シート部材１０の防水性を高めることができる。
【００２８】
また、芯材１２には、高吸水性樹脂（ＳＡＰ）が混入されているため、地盤Ｇから生じる地下水は芯材１２で吸水される。なお、建築部１に防水性が必要でない場合には、芯材１２に高吸水性樹脂（ＳＡＰ）を混入しなくてもよい。
【００２９】
コンクリート部２０は、板状に形成され、シート部材１０の上面１０Ａの全面にわたって設けられている。換言すると、シート部材１０は、コンクリート部２０の下面２０Ｚの全面にわたって配置されている。
【００３０】
上部構造体３は、基礎スラブ２に支持され、鉄筋コンクリート造や鉄筋鉄骨コンクリート造、鉄骨造等の周知の構成とされている。
【００３１】
次に上記のように構成された建築物１の構築方法について説明する。
まず、工場において、シート部材１０とコンクリート部２０とが一体とされたプレキャスト部材からなる基礎スラブ２を製造する。そして、建築現場において、工場から運搬されてきた基礎スラブ２を、地盤Ｇ上に、シート部材１０の下面１０Ｚが地盤Ｇの表面ＧＴに当接するように設置する。そして、基礎スラブ２上に上部構造体３を構築する。
【００３２】
このように構成された建築物１では、地盤Ｇとの間の摩擦力を調整可能なシート部材１０はコンクリート部２０と一体とされている。このため、地盤Ｇの表面ＧＴにシート部材１０が当接するように基礎スラブ２を設置することにより、地盤Ｇとの間に生じる摩擦力を低減することができる。よって、引用文献１に記載された免震構造では、砂を摩擦調整部として機能させるために地盤の上に基礎構造体を設けなければならないが、本発明では地盤Ｇはセメントなどで改良した改良地盤層Ｇ２とするだけでよく、当該改良地盤層Ｇ２の上に基礎スラブ２を設置すればよいだけであるため、手間のかからない施工とすることができる。
【００３３】
また、地盤Ｇの表面ＧＴに設置されるシート部材１０の摩擦係数は、０．５〜０．８であるため、地盤Ｇと基礎スラブ２との間に生じる摩擦力適時調整して、低減することができる。
【００３４】
また、芯材１２には、高吸水性樹脂（ＳＡＰ）が混入されているため、基礎スラブの遮水性を向上させることができる。よって、地盤Ｇから生じる地下水は芯材１２で吸水され、コンクリート部２０側へ流入しようとする地下水が遮水される。
【００３５】
また、シート部材１０はコンクリート部２０と地盤Ｇとの間の全領域にわたって配置されているため、地盤Ｇ側から生じる地下水のコンクリート部２０側への流入が妨げられる。
【００３６】
また、基礎スラブ２が工場で製造されたプレキャスト部材として構成されているため、建築現場での施工工数及び施工時間を削減することができる。さらに、基礎スラブ２を工場で予め製造することができるため、基礎スラブ２の製品品質を高めることができるとともに、大量に生産することにより製品コストを抑えることができる。
【００３７】
（変形例１）
上記に示す実施形態の変形例１について、主に図３（ａ）を用いて説明する。
図３（ａ）は、本発明の一実施形態の変形例１に係る構造体における図１のＡ部に相当する部分の拡大図である。
以下の変形例において、前述した実施形態で用いた部材と同一の部材には同一の符号を付して、その説明を省略する。
【００３８】
図３（ａ）に示す基礎スラブ１０２では、コンクリート部１２０は、平面視格子状に配置された複数の基礎梁１２１，１２１…と、複数の基礎梁１２１，１２１…の上部に設けられた板状の基礎スラブ本体１２２と、を有している。基礎梁１２１と基礎スラブ本体１２２とは一体に構成されている。
【００３９】
基礎梁１２１は、直方体状に形成され、水平方向に延びている。基礎梁１２１は、基礎スラブ本体１２２の下面１２２Ｚに沿って配置されている。
【００４０】
シート部材１１０は、基礎梁１２１の下面１２１Ｚに沿って設けられ、基礎スラブ本体１２２の下面１２２Ｚには設けられていない。
このように構成された基礎スラブ１０２では、上記に示す実施形態のシート部材１０と比較してシート部材１１０の設置量を抑えることができるため、シート部材１１０のコストを抑えることができる。
【００４１】
（変形例２）
上記に示す実施形態の変形例２について、主に図３（ｂ）を用いて説明する。
図３（ｂ）は、本発明の一実施形態の変形例２に係る構造体における図１のＡ部に相当する部分の拡大図である。
【００４２】
図３（ｂ）に示す基礎スラブ２０２では、シート部材２１０は、基礎梁１２１，１２１…の下面１２１Ｚと側面１２１Ｘ、及び基礎スラブ本体１２２の下面１２２Ｚにそれぞれ沿って設けられている。
このように構成された基礎スラブ２０２では、シート部材２１０がコンクリート部１２０の下面１２１Ｚ，１２１Ｘ，１２２Ｚの全面に沿って設けられている。つまり、シート部材２１０はコンクリート部１２０は地盤Ｇとの間の全領域にわたって配置されているため、地盤Ｇ側から生じる地下水のコンクリート部１２０側への流入が妨げられる。
【００４３】
なお、上述した実施の形態において示した各構成部材の諸形状や組み合わせ等は一例であって、本発明の主旨から逸脱しない範囲において設計要求等に基づき種々変更可能である。
【００４４】
例えば、上記に示す実施形態において、基礎スラブ２はプレキャスト部材で構成されているが、本発明はこれに限られない。建築現場において、地盤Ｇの表面ＧＴにシート部材を敷設して、その上側にコンクリートを打設して、構造体を構成してもよい。
【符号の説明】
【００４５】
１…建築物
２…基礎スラブ（構造体）
３…上部構造体
１０…シート部材
１１…シート表面層（摩擦調整層）
１２…芯材
２０…コンクリート部
Ｇ…地盤
【図１】
2016084676.tif 000003
【図２】
2016084676.tif 000004
【図３】
2016084676.tif 000005